(57)【要約】【課題】先端部材５に指が掛かって筆記を行った場合でも指の感触に違和感がなく良好な感触で筆記が行える。更に、略円錐形に形成された先端部材５に年輪がきれいな模様となって現れ、高級感が飛躍的に向上する筆記具を提供する。【解決手段】先端部材５及び把持部１Ａを有する軸筒１を同じ種類の木材で構成し、かつ、先端部材５と軸筒１の色調をほぼ同一に構成する。【選択図】        図１
2007112013.tif 000002
【特許請求の範囲】
【請求項１】
先端部材及び把持部材を木材で構成し、かつ、先端部材と把持部材の色調をほぼ同一に構成したことを特徴とする筆記具。
【請求項２】
先端部材と把持部材を同一の木材で構成したことを特徴とする請求項１記載の筆記具。
【請求項３】
先端部材の内部に芯ホルダーを内蔵したことを特徴とする請求項１又は２記載の筆記具。
【請求項４】
把持部材を軸筒で構成したことを特徴とする請求項１乃至３のいずれか１項に記載の筆記具。
【発明の詳細な説明】
【技術分野】
【０００１】
本発明は、先端部材及び把持部材を木材で構成した筆記具に関するものである。
【背景技術】
【０００２】
従来、胴、鞘、軸筒あるいはグリップといった外装部材を野球のバットに用いられる木材により作製した筆記具が知られている。（特許文献１参照）
【特許文献１】特開２００５−１３８２８７号公報
【発明の開示】
【発明が解決しようとする課題】
【０００３】
しかしながら、上記した筆記具は、先端部材及び把持部材をほぼ同一色調の木材で構成する点については全く記載されていない。
本発明は、上記課題を解消する筆記具を提供することを目的とするものである。
【課題を解決するための手段】
【０００４】
本発明は、先端部材及び把持部材を木材で構成し、かつ、先端部材と把持部材の色調をほぼ同一に構成したことを第１の要旨とする。
【０００５】
また、先端部材と把持部材を同一の木材で構成したことを第２の要旨とする。
【０００６】
更に、先端部材の内部に芯ホルダーを内蔵したことを第３の要旨とする。
【０００７】
更にまた、把持部材を軸筒で構成したことを第４の要旨とする。
【発明の効果】
【０００８】
本発明は、先端部材と把持部材を木材で構成するので、筆記具の先端部材に指が掛かって筆記を行った場合でも、先端部材と把持部材のいずれも木材で構成されているので、指の感触に違和感がなく筆記できるものである。また、先端部材と把持部材を同じ色調に構成することにより高級感が飛躍的に向上する利点もある。
【発明を実施するための最良の形態】
【０００９】
筆記具の先端部材及び把持部材を木材で構成するとともに、色調をほぼ同一に構成することにより、把持した時の指の感触が良好になるとともに高級感が向上する筆記具を実現した。
【実施例１】
【００１０】
図１及び図２は、本発明の実施例１を示すもので、筆記具としてはボールペン体あるいはシャープペンシル体を複数内蔵し、希望する筆記体を先端より突出させて筆記を行う複合筆記具で説明する。尚、図１の左側を前方とし、右側を後方とする。また、筆記体を突出させたり没入させる機構については、筆記体の後端に取り付けられた摺動体をスライドさせる複合筆記具や、鞘を回動させて任意の筆記体を出没させる複合筆記具等種々のものが商品化され知られているので、説明は省略する。
【００１１】
木材で構成される軸筒１の後部にはクリップ２と一体となった頭冠３が取り付けられ、軸筒１の前部には把持部１Ａが構成される。把持部１Ａは把持し易いように中間部が適宜細径に凹んで構成される。また、軸筒１の中間部には凹溝１Ｂが形成され、この凹溝１Ｂに金属製の板材を巻回した金輪４が被せられて取り付けられている。
【００１２】
この軸筒１の前部に木材で構成された略円錐形の先端部材５が螺合されて取り付けられる。
【００１３】
前記軸筒１及び先端部材５は、樹脂を含浸したいたや楓材等の同じ木材で構成する。更に、この木材は適宜着色して同じ色調に構成する。先端部材５と軸筒１に使用する木材は同じ材質でしかも色調をほぼ同じに構成することにより、いままでにない高級感が得られる。特に円錐形に形成された先端部材５は年輪がきれいな木目模様となり、飛躍的に高級感が向上する。しかも、合成樹脂製の頭冠３は、木目調の水転写等で表面を加飾するかあるいは木目調の樹脂を用いて、先端部材５及び軸筒１と同じ色調に構成する。更に、先端部材５及び軸筒１を木材で構成することにより重量も軽くなり、長時間筆記を行っても疲れにくくなる。
【実施例２】
【００１４】
図３は、本発明の実施例２を示すもので、筆記具としては実施例１と同じ複合筆記具で説明する。木材で構成される軸筒１０１の前部に把持部１０１Ａを構成するとともに、軸筒１０１の内側に金属パイプ６を固着する。また、木材で構成される先端部材１０５に金属製の連結具７を螺着し、先端部材１０５の木目と軸筒１０１の木目を合わせて連結具７を金属パイプ６に圧入嵌合させる。
【００１５】
前記軸筒１０１及び先端部材１０５は、樹脂を含浸したいたや楓等の同じ木材で構成する。更に、この木材は、適宜着色して同じ色調に構成する。先端部材１０５と軸筒１０１に使用する木材は同じ材質でしかも同じ色調に構成することにより、いままでにない高級感が得られる。また、先端部材１０５に金属製の連結具７を螺着するので強度が向上するとともに、先端部材１０５の木目と軸筒１０１の木目が確実に合わされより高級感が向上する。
【実施例３】
【００１６】
図４は、本発明の実施例３を示すもので、筆記具としてはノック式シャープペンシルで説明する。先ず、木材で構成した軸筒２０１の後部にクリップ１０２と頭冠１０３を取り付けるとともに、軸筒２０１の前部に把持部２０１Ａを構成する。この軸筒２０１の前部内側に金属製あるいは合成樹脂製の連結具１０７を取り付ける。
【００１７】
また、木材で構成した略円錐形の先端部材２０５内に金属製あるいは合成樹脂製の内口金８をネジ接着等で固着し、この内口金８に芯９を適宜の力で保持する芯ホルダー１０を内蔵する。
【００１８】
次に、機構部を説明すると、金属製のチャック１１の頭部に金属製の締具１２を外嵌し、チャック１１の後部に合成樹脂パイプからなる芯タンク１３を圧入固着する。締具１２を受け止めるワッシャー１４と芯タンク１３の間にはスプリング１５を張架し、通常チャック１１は締具１２に押し付けられて閉じられ芯９を強く保持している。
【００１９】
この機構部を前記軸筒２０１の前方から挿入し、ワッシャー１４を先端部材２０５に固着された内口金８の内段８Ａと連結具１０７の前端により挟持して内口金８を連結具１０７に着脱可能に螺合する。
【００２０】
更に、消しゴム支え１６の内側に消しゴム１７を取り付けるとともに外側にノブ１８を取り付ける。尚、図示していないが、ノブの外側に先端部材２０５と同じ木材で外ノブを取りつけても良い。この消しゴム支え１６を軸筒２０１の後方より挿入し、消しゴム支え１６の前部を前記芯タンク１３の後部外側に嵌合する。
【００２１】
前記軸筒２０１及び先端部材２０５は、樹脂を含浸したいたや楓材等の同じ木材で構成する。更に、この木材は、適宜着色して同じ色調に構成する。軸筒２０１及び先端部材２０５に使用する木材は同じ材質でしかも色調をほぼ同じに構成することにより、いままでにない高級感が得られる。特に円錐形に形成された先端部材２０５は年輪がきれいな木目模様となって現れ、飛躍的に高級感が向上する。
【実施例４】
【００２２】
図５は、本発明の実施例４を示すもので、筆記具としては振出式シャープペンシルで説明する。先ず、鞘１９を木材で構成する。次に、消しゴム支え１１６の内側に消しゴム１１７を取り付けるとともに外側にノブ１１８を取り付ける。この消しゴム支え１１６を鞘１９の前方から挿入する。また、鞘１９の前部に金属製の金輪１０４を螺着し、金輪１０４の内段１０４Ａと消しゴム支え１１６の間にリターンスプリング２０を張架する。
【００２３】
更に、前記金輪１０４には合成樹脂製の胴２１の後部が着脱可能に螺合され、胴２１には木材で構成された把持部材２２が外嵌される。また、胴２１の内側には重量体２３が長手方向に摺動可能に内蔵される。
【００２４】
機構部は、先ず、チャック１１１の頭部に締具１１２を外嵌し、チャック１１１の後部に合成樹脂製のコネクター２４を圧入固着する。また、締具１１２を受け止めるワッシャー１１４とコネクター２４の間にはスプリング１１５が張架され、通常チャック１１１は締具１１２に押し付けられて閉じられ芯９を強く保持する。更に、コネクター２４の後部にパイプ材からなる芯タンク１１３を圧入固着する。
【００２５】
先端部材３０５は、木材で略円錐形に構成し、この先端部材３０５内に金属製あるいは合成樹脂製の内口金１０８をネジ接着等で固着し、この内口金１０８内に芯９を適度の力で保持する芯ホルダー１０を内蔵する。
【００２６】
前記胴２１の前方から機構部を挿入し、重量体２３の内孔に芯タンク１１３を挿通させる。次に、胴２１の前部に先端部材３０５に固着された内口金１０８を螺合し、胴２１の前端と内口金１０８の内段１０８Ａでワッシャー１１４を挟持する。また、コネクター２４の外鍔２４Ａと前記消しゴム支え１１６の間を重量体２３が長手方向に摺動可能に構成される。
【００２７】
前記把持部材２２、先端部材３０５及び鞘１９は、樹脂を含浸したいたや楓材等の同じ木材で構成する。更に、この木材は、適宜着色して同じ色調に構成する。また、把持部材２２及び先端部材３０５に使用する木材は同じ材質でしかも色調をほぼ同じに構成すれば、いままでにない高級感が得られる。特に円錐形に形成された先端部材３０５は年輪がきれいな模様となり、飛躍的に高級感が向上する。
【００２８】
尚、上記実施例はいずれも略円錐形の先端部材を樹脂を含浸したいたや楓材で構成したが、樹脂を含浸した樺材や、野球のバットに用いられるアオダモ材等で構成しても良い。
【００２９】
また、本発明の筆記具は複合筆記具やシャープペンシルに限定されるものではなく、ボールペン、サインペンあるいは万年筆といった種々の筆記具に利用できるものである。
【産業上の利用可能性】
【００３０】
筆記具の先端部材及び把持部材を木材で構成し、かつ、先端部材と把持部材の色調をほぼ同一に構成することにより、指の感触に違和感がなく筆記できるとともに、高級感が飛躍的に向上する筆記具に適用できる。
【図面の簡単な説明】
【００３１】
【図１】本発明の実施例１の筆記具を示す正面図である。（実施例１）
【図２】本発明の実施例１の筆記具を示す主要部拡大断面図である。（実施例１）
【図３】本発明の実施例２の筆記具を示す主要部拡大断面図である。（実施例２）
【図４】本発明の実施例３の筆記具を示す断面図である。（実施例３）
【図５】本発明の実施例４の筆記具を示す断面図である。（実施例４）
【符号の説明】
【００３２】
１  軸筒
５  先端部材
１０  芯ホルダー
２２  把持部材
１０１  軸筒
１０５  先端部材
２０１  軸筒
２０５  先端部材
３０５  先端部材
【図１】
2007112013.tif 000003
【図２】
2007112013.tif 000004
【図３】
2007112013.tif 000005
【図４】
2007112013.tif 000006
【図５】
2007112013.tif 000007